(57)【要約】【課題】構造がシンプルで、施工性が良く、また、高さ寸法の調整が可能である下部構造を備えた建具枠を提供する。【解決手段】上側の第１枠体６と下側の第２枠体７からなる下部構造を備えた四周状の建具枠であって、第１枠体６及び第２枠体７は、建具枠の幅方向に延びる長尺部材であり、第１枠体６は、建具枠の下枠４に固定されており、第２枠体７は、自重降下が規制された状態で第１枠体６に仮固定されている。【選択図】図６
2020051112.tif 000002
【特許請求の範囲】
【請求項１】
上側の第１枠体と下側の第２枠体からなる下部構造を備えた四周状の建具枠を用意し、
前記第１枠体及び前記第２枠体は、前記建具枠の幅方向に延びる長尺部材であり、
前記第１枠体は、前記建具枠の下枠に固定されており、
前記第２枠体は、自重降下が規制された状態で前記第１枠体に仮固定されており、
下部構造を備えた建具枠を建物の所定位置に取り付け、この時、前記第２枠体と躯体下面は離間しており、
自重降下規制を解除することで、前記第２枠体を自重降下させ、
自重降下した前記第２枠体が前記躯体下面に当接した状態で、前記第２枠体と前記第１枠体を固定する、
建具枠の下部構造の設置方法。
【請求項２】
前記第１枠体は上面と少なくとも１つの見付面を備え、前記上面において前記下枠に固定されており、
前記第２枠体は下面と少なくとも１つの見付面を備え、前記下面が前記躯体下面に当接するようになっており、
前記第１枠体と前記第２枠体は前記見付面同士が重なり部を形成するように組み合わさって前記下部構造を形成しており、
仮固定時には、前記第２枠体は前記重なり部において仮固定部材を用いて前記第１枠体に仮固定されており、
前記仮固定部材を取り外して、前記第２枠体を自重降下させ、
前記第２枠体の下面が前記躯体下面に当接した状態で、前記第２枠体と前記第１枠体を前記重なり部において固定部材を用いて固定する、
請求項１に記載の建具枠の下部構造の設置方法。
【請求項３】
前記仮固定部材はねじであり、
前記固定部材はドリルねじである、
請求項２に記載の建具枠の下部構造の設置方法。
【請求項４】
前記第１枠体は、上面と、第１見付面と、第２見付面と、第１見込面と、第２見込面を備え、下方が開口している箱体であり、
前記第２枠体は、下面と、第１見付面と、第２見付面と、第１見込面と、第２見込面を備え、上方が開口している箱体であり、
前記第１枠体と前記第２枠体は入れ子状に組み合わさることで下部構造を形成している、
請求項１〜３いずれか１項に記載の建具枠の下部構造の設置方法。
【請求項５】
上側の第１枠体と下側の第２枠体からなる下部構造を備えた四周状の建具枠であって、
前記第１枠体及び前記第２枠体は、前記建具枠の幅方向に延びる長尺部材であり、
前記第１枠体は、前記建具枠の下枠に固定されており、
前記第２枠体は、自重降下が規制された状態で前記第１枠体に仮固定されている、
建具枠。
【請求項６】
前記第１枠体は上面と少なくとも１つの見付面を備え、前記上面において前記下枠に固定されており、
前記第２枠体は下面と少なくとも１つの見付面を備え、
前記第１枠体と前記第２枠体は前記見付面同士が重なり部を形成するように組み合わさって前記下部構造を形成しており、
前記第２枠体は前記重なり部において仮固定部材を用いて前記第１枠体に仮固定されている、
請求項５に記載の建具枠。
【請求項７】
前記第１枠体は、上面と、第１見付面と、第２見付面と、第１見込面と、第２見込面を備え、下方が開口している箱体であり、
前記第２枠体は、下面と、第１見付面と、第２見付面と、第１見込面と、第２見込面を備え、上方が開口している箱体であり、
前記第１枠体と前記第２枠体は入れ子状に組み合わさることで下部構造を形成している、
請求項５、６いずれか１項に記載の建具枠。
【請求項８】
建具枠の下部構造の設置構造であって、
前記下部構造は、上側の第１枠体と下側の第２枠体からなり、前記第１枠体と前記第２枠体は、前記建具枠の幅方向に延びる長尺部材であり、
前記建具枠の下枠は、仕上げ床材とほぼ同じ高さ位置にあり、仕上げ床材と躯体下面は離間しており、
前記第１枠体は上面と少なくとも１つの見付面を備え、前記上面において前記下枠に固定されており、
前記第２枠体は下面と少なくとも１つの見付面を備え、前記下面が前記躯体下面に当接しており、
前記第１枠体と前記第２枠体は前記見付面同士が重なり部を形成するように組み合わさって前記下部構造を形成しており、前記第１枠体と前記第２枠体は、前記重なり部においてねじで固定されており、前記第２枠体の下面と前記躯体下面は固定されることなく当接している、
建具枠の下部構造の設置構造。
【請求項９】
前記第１枠体は、上面と、第１見付面と、第２見付面と、第１見込面と、第２見込面を備え、下方が開口している箱体であり、
前記第２枠体は、下面と、第１見付面と、第２見付面と、第１見込面と、第２見込面を備え、上方が開口している箱体であり、
前記第１枠体と前記第２枠体は入れ子状に組み合わさることで下部構造を形成しており、
前記下部構造の幅方向両端部は、前記第１枠体と前記第２枠体の第１見込面、第２見込面によって閉塞されている、
請求項８に記載の建具枠の下部構造の設置構造。
【発明の詳細な説明】
【技術分野】
【０００１】
本発明は、建具枠の下部構造の設置方法及び構造、並びに下部構造を備えた建具枠に関するものである。
【背景技術】
【０００２】
ドア装置は、四周状のドア枠とドア枠に回動可能に取り付けた扉体からなり、ドア枠の下枠（沓摺）は仕上げ床面と略同じレベルにある。マンション等の集合住宅等において、躯体下面に対して上方に離間して仕上げ床面を設けるといういわゆる二重床が採用される場合がある。仕上げ床面の下方に空間を形成することで、配管や配線を通し易くし、また、空間を利用して防振材を設けることも可能となる。二重床を採用する建物に設置されるドア装置においては、下枠と躯体下面との間に空間が生じるため、この空間を塞ぎ、また、下枠を支持するようにドア枠の下部構造が設けられる。
【０００３】
従来のドア枠の下部構造を図１１に例示する。ドア枠の下枠４´の下面には側面視コ字形状のアングル受け材ａが固定されており、アングル受け材ａの外側の垂下片、内側の垂下片には、それぞれ、側面視Ｌ形状の外側の下部アングルｂ、内側の下部アングルｂが取付ビスｃを用いて仮固定されている（図１１（Ａ）参照）。下部アングルｂの垂直片には縦長孔ｅが形成されており、現場において、下部アングルｂの取付ビスｃを緩めて下部アングルｂを下げることで、下部アングルｂの水平状の足部を躯体下面１１´に当接させてビスｄあるいはアンカーで固定する（図１１（Ｂ）、（Ｃ）参照）。このものでは、２つの下部アングルｂを外側の垂下片、内側の垂下片にそれぞれ固定することから、外側、内側からの作業が必要となり作業性が悪くなっていた。また、躯体下面１１´の不陸に対して縦長孔ｅによる調整代が足りない場合には、現場加工が別途必要となる。例えば、躯体下面１１´の不陸が大きく、躯体下面１１´が仕上げ床面１０´に対して傾斜しているような場合に、縦長孔ｅとビスｃを用いた固定では、縦長孔ｅの位置が上手く合わない可能性があり現場での追加作業が必要となり得る（図１１（Ｄ）参照）。また、マンション等の集合住宅において、仕上げ床材１０´と躯体下面１１´の間の下方空間の高さ寸法ないし深さ寸法が各階ごとに異なる場合があり、縦長孔ｅによる調整代では対応できない場合もあり、各階ごとに専用の下部アングルが必要となっていた。
【０００４】
特許文献１は、沓摺が後付け可能なドア枠構造およびその組立方法を提供することを目的として、「ドア枠の両縦枠材間の下部に設置された下枠材の上面に沓摺が嵌合され、下枠材は凹溝体を備えた下部材と、該下部材に嵌合された上部材とからなり、下部材はスラブに固定され、凹溝体には耐火材が充填されたことを特徴とするドア枠構造。」、「下枠材のないドア枠をスラブ上面に建て込み、該ドア枠の下枠材が設置される両縦枠間のスラブ上面に、凹溝体を備えた下部材を設置し、該下部材の凹溝体に耐火材を充填した後に上部材を嵌合し、該上部材に沓摺を嵌め込むことを特徴とするドア枠構造の組立方法。」を開示するものであり、施工時に沓摺の無いドア枠を用いる点に特徴を有しており、縦枠の下端は沓摺を越えて下方のコンクリートスラブまで延びている。
【特許文献１】特許第４０４１８０７号
【発明の開示】
【発明が解決しようとする課題】
【０００５】
本発明は、構造がシンプルで、施工性が良く、また、高さ寸法の調整が容易である、建具枠の下部構造の設置方法及び構造、並びに建具枠を提供することを目的とするものである。
【課題を解決するための手段】
【０００６】
かかる課題を解決するべく本発明が採用した技術手段は、
上側の第１枠体と下側の第２枠体からなる下部構造を備えた四周状の建具枠を用意し、
前記第１枠体及び前記第２枠体は、前記建具枠の幅方向に延びる長尺部材であり、
前記第１枠体は、前記建具枠の下枠に固定されており、
前記第２枠体は、自重降下が規制された状態で前記第１枠体に仮固定されており、
下部構造を備えた建具枠を建物の所定位置に取り付け、この時、前記第２枠体と躯体下面は離間しており、
自重降下規制を解除することで、前記第２枠体を自重降下させ、
自重降下した前記第２枠体が前記躯体下面に当接した状態で、前記第２枠体と前記第１枠体を固定する、
建具枠の下部構造の設置方法、である。
１つの態様では、前記建具枠はドア枠であり、図示の実施形態では玄関ドア枠である。
【０００７】
１つの態様では、前記第１枠体は上面と少なくとも１つの見付面を備え、前記上面において前記下枠に固定されており、
前記第２枠体は下面と少なくとも１つの見付面を備え、前記下面が前記躯体下面に当接するようになっており、
前記第１枠体と前記第２枠体は前記見付面同士が重なり部を形成するように組み合わさって前記下部構造を形成しており、
仮固定時には、前記第２枠体は前記重なり部において仮固定部材を用いて前記第１枠体に仮固定されており、
前記仮固定部材を取り外して、前記第２枠体を自重降下させ、
前記第２枠体の下面が前記躯体下面に当接した状態で、前記第２枠体と前記第１枠体を前記重なり部において固定部材を用いて固定する。
１つの態様では、前記第１枠体は上面と第１見付面と第２見付面とを備えている。
１つの態様では、前記第２枠体は下面と第１見付面と第２見付面とを備えている。
１つの態様では、前記第１枠体はさらに、第１見込面と第２見込面を備えている。
１つの態様では、前記第２枠体はさらに、第１見込面と第２見込面を備えている。
【０００８】
１つの態様では、  前記仮固定部材はねじであり、前記固定部材はドリルねじである。
１つの態様では、前記第１枠体の前記見付面には第１孔が形成されており、前記第２枠体の前記見付面には第２孔が形成されており、前記第１孔と前記第２孔は、仮固定時の前記重なり部において一致している。
１つの態様では、前記第１孔と前記第２孔のいずれか一方がねじの挿通孔であり、他方が螺子孔であり、挿通孔に差し入れたねじが螺子孔に螺合することで、前記第１枠体と前記第２枠体が仮固定される。
１つの態様では、固定時の前記重なり部には前記第１孔と第２孔のいずれか一方が位置しており、固定時の重なり部に位置する孔（典型的には、重なり部の外側に位置する見付面に形成された孔）からドリルねじを螺入することで、前記第１枠体と前記第２枠体が固定される。
また、前記第１枠体に対して前記第２枠体が自重降下した姿勢において、前記第１枠体の見付面と前記第２枠体の見付面の重なり部が得られていれば、孔が無い場所においてもドリルねじを螺入することで、前記第１枠体と前記第２枠体を固定することができる。
【０００９】
１つの態様では、前記第１枠体は、上面と、第１見付面と、第２見付面と、第１見込面と、第２見込面を備え、下方が開口している箱体であり、
前記第２枠体は、下面と、第１見付面と、第２見付面と、第１見込面と、第２見込面を備え、上方が開口している箱体であり、
前記第１枠体と前記第２枠体は入れ子状に組み合わさることで下部構造を形成している。
１つの変形例として、内側に位置する箱体は開口を備えてなくてもよい。
【００１０】
本発明が採用した他の技術手段は、
上側の第１枠体と下側の第２枠体からなる下部構造を備えた四周状の建具枠であって、
前記第１枠体及び前記第２枠体は、前記建具枠の幅方向に延びる長尺部材であり、
前記第１枠体は、前記建具枠の下枠に固定されており、
前記第２枠体は、自重降下が規制された状態で前記第１枠体に仮固定されている、
建具枠、である。
１つの態様では、前記建具枠はドア枠であり、図示の実施形態では玄関ドア枠である。
【００１１】
１つの態様では、前記第１枠体は上面と少なくとも１つの見付面を備え、前記上面において前記下枠に固定されており、
前記第２枠体は下面と少なくとも１つの見付面を備え、
前記第１枠体と前記第２枠体は前記見付面同士が重なり部を形成するように組み合わさって前記下部構造を形成しており、
前記第２枠体は前記重なり部において仮固定部材を用いて前記第１枠体に仮固定されている。
【００１２】
１つの態様では、前記第１枠体は、上面と、第１見付面と、第２見付面と、第１見込面と、第２見込面を備え、下方が開口している箱体であり、
前記第２枠体は、下面と、第１見付面と、第２見付面と、第１見込面と、第２見込面を備え、上方が開口している箱体であり、
前記第１枠体と前記第２枠体は入れ子状に組み合わさることで下部構造を形成している。
【００１３】
本発明が採用した他の技術手段は、建具枠の下部構造の設置構造であって、
前記下部構造は、上側の第１枠体と下側の第２枠体からなり、前記第１枠体と前記第２枠体は、前記建具枠の幅方向に延びる長尺部材であり、
前記建具枠の下枠は、仕上げ床材とほぼ同じ高さ位置にあり、仕上げ床材と躯体下面は離間しており、
前記第１枠体は上面と少なくとも１つの見付面を備え、前記上面において前記下枠に固定されており、
前記第２枠体は下面と少なくとも１つの見付面を備え、前記下面が前記躯体下面に当接しており、
前記第１枠体と前記第２枠体は前記見付面同士が重なり部を形成するように組み合わさって前記下部構造を形成しており、前記第１枠体と前記第２枠体は、前記重なり部においてねじで固定されており、前記第２枠体の下面と前記躯体下面は固定されることなく当接している。
１つの態様では、前記第１枠体は、上面と、第１見付面と、第２見付面と、第１見込面と、第２見込面を備え、下方が開口している箱体であり、
前記第２枠体は、下面と、第１見付面と、第２見付面と、第１見込面と、第２見込面を備え、上方が開口している箱体であり、
前記第１枠体と前記第２枠体は入れ子状に組み合わさることで下部構造を形成しており、
前記下部構造の幅方向両端部は、前記第１枠体と前記第２枠体の第１見込面、第２見込面によって閉塞されている。
１つの態様では、前記第１枠体と前記第２枠体の第２見付面同士も、重なり部を形成している。
１つの態様では、前記第１枠体と前記第２枠体の第１見込面同士、第２見込面同士も、重なり部を形成している。
１つの態様では、前記ねじはドリルねじである。
【発明の効果】
【００１４】
本発明では、簡単な手順で、建具枠の下部構造を設置することができ、かかる下部構造はシンプルな構成でありながら、高さ寸法の調整が容易であり、建具枠の下枠の下方空間の任意の高さ寸法に良好に対応して設置することができる。
【図面の簡単な説明】
【００１５】
【図１】（Ａ）はドア装置を室外側から見た正面図、（Ｂ）はドア装置を室内側から見た正面図であって、床面の下方部位を切り欠くことで、本実施形態に係るドア枠の下部構造（設置状態）を示している。
【図２】（Ａ）は本実施形態に係るドア枠を室外側から見た正面図、（Ｂ）は本実施形態に係るドア枠を室内側から見た正面図であって、ドア枠は下部構造（仮固定状態）を備えている。
【図３】（Ａ）は本実施形態に係るドア枠の下方部位の部分縦断面図であって、ドア枠は下部構造（仮固定状態）を備えている。（Ｂ）は下部構造（仮固定状態）の側面図、（Ｃ）は下部構造（仮固定状態）の平面図、（Ｄ）は下部構造（仮固定状態）を室内側から見た正面図である。
【図４】（Ａ）は第１枠体の側面図、（Ｂ）は同平面図、（Ｃ）は同正面図である。
【図５】（Ａ）は第２枠体の側面図、（Ｂ）は同平面図、（Ｃ）は同正面図である。
【図６】仮固定状態にある下部構造を示す縦断面図である。
【図７】自重降下状態にある下部構造を示す縦断面図である。
【図８】（Ａ）は固定状態（設置状態）にある下部構造を示す縦断面図であり、（Ｂ）は第１空間から見た同正面図（躯体下面が平面）であり、（Ｃ）は第１空間から見た同正面図（躯体下面が傾斜面）である。
【図９】（Ａ）は仮固定状態の下部構造を示す側面図、（Ｂ）は第１降下状態の下部構造を示す縦断面図、（Ｃ）は第２降下状態の下部構造を示す縦断面図、（Ｄ）は第３降下状態の下部構造を示す縦断面図である。
【図１０】（Ａ）〜（Ｄ）は下部構造の他の態様を示す縦断面図である。
【図１１】（Ａ）〜（Ｄ）は従来の下部構造を説明する図である。
【発明を実施するための形態】
【００１６】
図１（Ａ）はドア装置を室外側から見た正面図、（Ｂ）はドア装置を室内側から見た正面図であって、床面ＦＬの下方部位を切り欠くことで、本実施形態に係るドア枠の下部構造（設置状態）を示している。図１に示すように、ドア装置は、上枠１、左右の縦枠２、３、下枠４から四周状に形成されたドア枠と、ドア枠の戸尻側の縦枠３に回動可能に装着された扉体５とからなる。ドア装置は、周囲の躯体（壁等）に支持されている。ドア枠の下枠４は、床面ＦＬと略同じ高さレベルにある。扉体５において、開口部閉鎖姿勢において室内側に面する見付面を第１面部５０、室外側に面する見付面を第２面部５１とする。
【００１７】
本実施形態では、下枠４が設置される仕上げ床材１０と躯体下面１１（例えば、コンクリートスラブの上に設けたモルタル）との間には、隙間ないし下方空間が形成されており、かかる下方空間には、例えば、配管等が配置される。この空間の高さ寸法ないし深さ寸法をＤで表す（図６〜図８参照）。
【００１８】
ドア枠は下枠４の下方に位置して下部構造を備えており、下枠４と躯体下面１１との間の空間を塞ぐように下部構造が設置される。より具体的には、下部構造によって、下枠４と躯体下面１１との間の空間を閉塞して防火区画を形成し、また、下枠４を支持して下枠４の撓みを防止するようになっている。本実施形態では、下部構造は、上側の第１枠体６と下側の第２枠体７からなる。下部構造の詳細な説明は後述する。
【００１９】
下枠４は、いわゆる沓摺であって、開口部の下端に位置して開口幅方向に延びる長尺部材である。より具体的には、図６に示すように、下枠４は、室内側上面４０と、閉鎖姿勢の扉体５の下面５２の下方に位置する室外側上面４１と、室内側見付面４２と、室外側見付面４３と、室内側見付面４２の下端から室内側に向かって水平に延びる室内側下辺４４と、室外側見付面４３の下端から室内側に向かって水平に延びる室外側下辺４５と、を備えている。室内側上面４０と室外側上面４１との間には、室外側に向かって開口し、開口幅方向に延びる凹溝４６が形成されており、凹溝４６内には長尺状の緩衝材４７が装着されている。扉体５の閉鎖姿勢時には、扉体５の第１面部５０の下端部位が緩衝材４７に圧接するようになっている。
【００２０】
仕上げ床材１０は、下枠４の室内側見付面４２、室外側見付面４３を覆うように設けてあり、床面ＦＬと室外側上面４１の高さレベルが略一致している。本明細書では、仕上げ床材１０と躯体下面１１との間の下方空間において、室内側空間の下方に位置する空間を第１空間Ａとし、室外側空間の下方に位置する空間を第２空間Ｂとする。下部構造は設置状態において、下枠４の下方に位置して、下枠４の幅方向に亘って第１空間Ａと第２空間Ｂとを区画する（図８（Ａ）参照）。
【００２１】
図２（Ａ）は本実施形態に係るドア枠を室外側から見た正面図、（Ｂ）は本実施形態に係るドア枠を室内側から見た正面図であって、ドア枠は、第１枠体６と第２枠体７からなる下部構造（仮固定状態）を備えている。図２における下部構造（仮固定状態）の詳細については図３を参照されたい。ドア枠は、工場において四周枠状に組み立てられ、さらに、下枠４に下部構造が仮固定状態で取り付けられる。ドア枠は、下部構造（仮固定状態）を備えた状態で現場に搬入される。
【００２２】
本実施形態に係る第１枠体６は、開口幅方向に延びる長尺部材であり、下面が開放状の箱体である。より具体的には、図４に示すように、第１枠体６は、所定の長手寸法Ｌ１及び短手寸法Ｓ１を備えた上面６０と、上面６０の短手方向の一端から垂下する第１見付面６１と、上面６０の短手方向の他端から垂下する第２見付面６２と、上面６０の長手方向の一端から垂下する第１見込面６３と、上面６０の長手方向の他端から垂下する第２見込面６４と、を備え、下方は開口している。本実施形態では、第１見付面６１が室内側見付面であり、第２見付面６２が室外側見付面である。
【００２３】
本実施形態に係る第２枠体７は、開口幅方向に延びる長尺部材であり、上面が開放状の箱体である。より具体的には、図５に示すように、第２枠体７は、所定の長手寸法Ｌ２及び短手寸法Ｓ２を備えた下面７０と、下面７０の短手方向の一端から垂直に立ち上がる第１見付面７１と、下面７０の短手方向の他端から垂直に立ち上がる第２見付面７２と、下面７０の長手方向の一端から垂直に立ち上がる第１見込面７３と、下面７０の長手方向の他端から垂直状に立ち上がる第２見込面７４と、を備え、上方は開口している。本実施形態では、第１見付面７１が室内側見付面であり、第２見付面７２が室外側見付面である。
【００２４】
本実施形態では、第１枠体６の長手寸法Ｌ１及び短手寸法Ｓ１は、第２枠体７の長手寸法Ｌ２及び短手寸法Ｓ２よりも僅かに大きい寸法となっており、第１枠体６の内部空間に第２枠体７を受け入れ可能となっている。すなわち、箱形状の第１枠体６と箱形状の第２枠体７が入れ子状に組み合わさることで下部構造を形成している。第１枠体６の内部空間に対する第２枠体の挿入の深さによって、下部構造の高さ寸法が可変となっている。なお、本実施形態では、第１枠体６の高さ寸法と第２枠体７の高さ寸法は略同じである。
【００２５】
図４に示すように、第１枠体６の第１見付面６１の下方部位には、長さ方向に間隔を設けて複数の挿通孔６１０が形成されている。図５に示すように、第２枠体７の第１見付面７１の下方部位には、長さ方向に間隔を設けて複数の螺子孔７１０が形成されている。第１枠体６の内部空間に第２枠体７を深く挿入した状態（下部構造の高さ寸法が最小）において、第１見付面６１の挿通孔６１０と第１見付面７１の螺子孔７１０が一致するようになっている。
【００２６】
図４に示すように、第１枠体６の上面６０の第１見付面６１に近い部位には、長さ方向に間隔を設けて複数の螺子孔６００が形成されている。第１枠体６の短手寸法Ｓ１は、下枠４の短手寸法とほぼ同じであり、第１枠体６の上面６０の第１見付面６１側の部位は、下枠４の室内側下辺４４の下面に当接しており、複数の螺子４８によって固定されており、上面６０の第２見付面６２に近い部位は、下枠４の室外側下辺４５の下面に当接している（図６参照）。下枠４の形状や下枠４に第１枠体６を固定する構成は図示の態様に限定されるものではない。
【００２７】
第１枠体６と第２枠体７は、第１枠体６の内部空間に第２枠体７が挿入され、第１枠体６の第１見付面６１と第２枠体７の第１見付面７１を重ね合わせた状態で、挿通孔６１０から螺子孔７１０に螺入した仮固定部材としての複数の第１螺子８によって仮固定される。第１螺子８は、下穴（螺子孔７１０）を必要とする小ねじである。本実施形態では、第１螺子８を第１空間Ａ側から挿通孔６１０、螺子孔７１０に螺入することで、第１枠体６と第２枠体７を仮固定する。
【００２８】
第１枠体６と第２枠体７が仮固定状態にある時には、第１枠体６の内部空間に第２枠体７が最も深く挿入された状態であり、第２枠体７は最も高い位置にあり、下部構造の高さ寸法Ｈ０は最小である（図９（Ａ）参照）。
【００２９】
図６に示すように、仮固定状態において、第１枠体６の第１見付面６１の内面に第２枠体７の第１見付面７１の外面が当接して第１螺子８によって仮固定されており、第１枠体６の第２見付面６２の内面に第２枠体７の第２見付面７２の外面が近接対向しており、第１枠体６の第１見込面６３の内面に第２枠体７の第１見込面７３の外面が近接対向しており、第１枠体６の第２見込面６４の内面に第２枠体７の第２見込面７４の外面が近接対向しており、第２枠体７（第１見付面７１、第２見付面７２、第１見込面７３、第２見込面７４）の上端は、第１枠体６の上面６０の内面に近接している。第２枠体７の下面７０と躯体下面１１は離間している。
【００３０】
第１枠体６と第２枠体７の仮固定状態において、第２枠体７は、ドア枠の下枠４に固定された第１枠体６から自重降下が規制されて吊持された状態である。仮固定状態において、第１螺子８を取り外すと、第２枠体７の自重降下規制状態が解除され、第１枠体６に対して第２枠体７が自重降下する（図７参照）。自重降下する第２枠体７の下面７０が躯体下面１１に当接することで、第２枠体７の降下は停止し、第１枠体６に対する第２枠体７の降下位置が決定され、下部構造の高さ寸法が決定される。
【００３１】
第１枠体６に対して第２枠体７が自重降下した状態において、第１枠体６の第１見付面６１と第２枠体７の第１見付面７１は重なり部を備えている。第１見付面６１に形成された挿通孔６１０は重なり部に位置しており、重なり部において、第１見付面７１にはいかなる孔も形成されていない。本実施形態では、固定部材としての第２螺子９は下穴を必要としないドリルねじであって、挿通孔６１０から螺入した第２螺子９によって、第１枠体６の第１見付面６１と第２枠体７の第１見付面７１を固定する（図８（Ａ）参照）。
【００３２】
ドア枠の下部構造が設置された状態では、下部構造の第２枠体７の下面７０が躯体下面１１に当接し、下部構造の第１枠体６の第１見付面６１と第２枠体７の第１見付面７１が第２螺子９で固定された状態となる。第２枠体７と躯体下面１１は螺子等の固定部材によって連結されていない。下部構造の第１枠体６の第２見付面６２と第２枠体７の第２見付面７２は対向した状態にあるが固定されていない。すなわち、下部構造は、第１枠体６と第２枠体７の一方の見付面（本実施形態では第１見付面６１、第１見付面７１）同士を第２螺子９で連結するのみで設置される。
【００３３】
本実施形態では、仮固定部材である第１螺子８は、固定部材としては用いない。第１螺子８を取り外した後で第２枠体７の第１見付面７１の螺子孔７１０は特に塞がれていないが、第１見付面７１の挿通孔７１０に対向して第２見付面７２が位置するため、第１空間Ａと第２空間Ｂを直接貫通する孔が形成されないようになっている。なお、取り外した第１螺子８を用いて螺子孔７１０を塞いでもよい。
【００３４】
本実施形態に係る下部構造は、躯体下面１１が水平面でない場合であっても良好に対応することができる。図８（Ｂ）は、躯体下面１１が水平面である場合、図８（Ｃ）は、躯体下面１１が不陸である場合を示している。本実施形態では、第２枠体７の第１見付面７１に固定用の取付孔を設けるのではなく（従来例で示したビスｃと縦長孔をｅ用いた固定とは対照的である）、ドリルねじからなる第２螺子９を用いて第１枠体６の第１見付面６１の挿通孔６１０から挿入した第２螺子９を第２枠体７の第１見付面７１に螺入して固定するようにしたので、第２枠体７を第１枠体６に対して任意の高さ位置で固定することができる。躯体下面１１が不陸の場合であっても良好に対応することができる。本実施形態では、第１見付面７１に固定用の取付孔を設けないことによって、第１枠体６と第２枠体７を、取付孔の位置や大きさに影響されず固定することができる。
なお、本発明は、固定用の縦長の螺子孔を採用する態様を排除するものではない。
【００３５】
マンション等の集合住宅において、仕上げ床材１０と躯体下面１１の間の下方空間の高さ寸法ないし深さ寸法Ｄが各階ごとに異なる場合がある。図９に示すように、本実施形態の下部構造は、１つの下部構造を用意することで、異なる高さの下部構造を得ることができ、異なる高さ寸法ないし深さ寸法Ｄを備えた下方空間に対応することができる。
【００３６】
図９（Ａ）は、仮固定状態にある下部構造を示し、第２枠体７は第１枠体６の内部空間に最も深く挿入された仮固定位置にあり、下部構造は最小の高さ寸法Ｈ０となっている。仮固定状態において、第１枠体６の第１見付面６１と第２枠体７の第１見付面７１は重なり部を備えており、第１枠体６と第２枠体７は、重なり部において第１螺子８によって仮固定されており、第２枠体７は自重降下が規制された状態にある。この状態から第１螺子８を取り外すと、第２枠体７の自重降下規制が解除され、第２枠体７は下面７０が躯体下面１１に当接するまで自重降下する。
【００３７】
図９（Ｂ）は、固定状態にある下部構造の第１態様を示し、下部構造は高さ寸法Ｈ１を備えている。第１態様において、第２枠体７は、図９（Ａ）に示す仮固定位置から降下した第１の降下位置にあり、第１枠体６の第１見付面６１と第２枠体７の第１見付面７１は重なり部を備えており、第１枠体６と第２枠体７は、重なり部において第２螺子９によって固定されている。
【００３８】
図９（Ｃ）は、固定状態にある下部構造の第２態様を示し、下部構造は高さ寸法Ｈ２を備えている。第２態様において、第２枠体７が図９（Ｂ）に示す第１の降下位置からさらに降下した第２の降下位置にあり、第１枠体６の第１見付面６１と第２枠体７の第１見付面７１は重なり部を備えており、第１枠体６と第２枠体７は、重なり部において第２螺子９によって固定されている。
【００３９】
図９（Ｄ）は、固定状態にある下部構造の第３態様を示し、下部構造は高さ寸法Ｈ３を備えている。第３態様において、第２枠体７が図９（Ｃ）に示す第２の降下位置からさらに降下した第３の降下位置にあり、第１枠体６の第１見付面６１と第２枠体７の第１見付面７１は重なり部を備えており、第１枠体６と第２枠体７は、重なり部において第２螺子９によって固定されている。
【００４０】
第１の降下位置、第２の降下位置、第３の降下位置のいずれにおいても、第１枠体６の第１見付面６１と第２枠体７の第１見付面７１は重なり部を有しており、重なり部には第１枠体６の第１見付面６１の挿通孔６１０が位置しており、重なり部において、ドリルねじである第２螺子９を用いて第１見付面６１と第１見付面７１が固定される。このように、下部構造は設置高さが可変であり、１種類の下部構造を用いて異なる高さ寸法（図示の例では、高さ寸法Ｈ１、Ｈ２、Ｈ３）を得ることができ、現場に応じて、異なる深さ寸法Ｄの下方空間を閉塞することができる。
【００４１】
本実施形態に係るドア枠の下部構造の設置工程について説明する。先ず、工場において、下部構造を備えたドア枠が組み立てられる（図２参照）。具体的には、上枠１、左右の縦枠２、３、下枠４から四周枠状にドア枠が組み立てられ、さらに、螺子４８を用いて下枠４に第１枠体６を固定し、第１枠体６の内部空間に第２枠体７を挿入して、第１枠体６の第１見付面６１に形成された挿通孔６１０と第２枠体７の第１見付面７１に形成された螺子孔７１０を一致させて、仮固定用の第１螺子８によって、第１枠体６と第２枠体７を仮固定する。
【００４２】
そして、仮固定状態の下部構造を備えたドア枠を現場に搬入する。下部構造を備えたドア枠を、開口部を形成する所定位置に取り付ける。この時、ドア枠は周囲の躯体（図示せず）に支持されて取り付けられ、ドア枠の下枠４及び仮固定状態にある下部構造は、下方の躯体下面１１から上方に離間している。仮固定状態にある下部構造の第２枠体７は、下枠４に固定された第１枠体６に対して自重降下が規制された状態で吊持されている。
【００４３】
仮固定状態の下部構造を備えたドア枠を現場に取り付けた後で、第１枠体６と第２枠体７を仮固定している第１螺子８を取り外すと、第２枠体７は自重降下規制が解除されて、下面７０が躯体下面１１に当接するまで自重降下する。自重降下した第２枠体７が躯体下面１１に当接した状態で、第１枠体６の第１見付面６１と第２枠体７の第１見付面７１の重なり部において、第１見付面６１の挿通孔６１０から第１見付面７１に第２螺子９を螺入して、第１枠体６と第２枠体７を固定する。本実施形態では、第２螺子９を螺入する際に、第２枠体７の第２見付面７２が第１枠体６の第２見付面６２に当接することで、第２螺子９のドリル作業を良好に行うことができる。
【００４４】
本実施形態では、下部構造を備えた建具枠を建物の所定位置に取り付け、第１螺子８を取り外すことで第２枠体７を自重降下させ、自重降下した第２枠体７が躯体下面１１に当接した状態で、第２枠体７と第１枠体６を第２螺子９で固定する、という簡単な手順で、ドア枠の下部構造を設置することができる。下部構造が第１枠体６と第２枠体７の２部材から構成されるので、図１１に示す従来の下部構造に比べて部品点数が少なく、構造もシンプルで、施工性も良好である。
【００４５】
本実施形態では、第１枠体６と第２枠体７の仮固定及び固定は、第１空間Ａからの第１螺子８、第２螺子９の螺入によって、第１枠体６の第１見付面６１と第２枠体７の第１見付面７１の仮固定、固定によって行われる。すなわち、一方向のみから、仮固定の解除作業及び固定作業ができるので、施工性が良好である（図１１に示す従来例では、両側から作業を行う必要がある）。
【００４６】
本実施形態の下部構造は、１つの下部構造を用意することで、異なる高さの下部構造を得ることができ、異なる高さ寸法ないし深さ寸法を備えた下方空間に対応することができる。固定部材としての第２螺子９としてドリルねじを用いることで、第１枠体６に対して任意の高さ位置（及び傾斜姿勢）で第２枠体７を固定することができ、躯体下面１１が不陸であっても、良好に下部構造を設置できる。
【００４７】
このようにして得られたドア枠の下部構造の設置構造において、下部構造は、上側の第１枠体６と下側の第２枠体７からなり、第１枠体６と第２枠体７は、ドア枠の幅方向に延びる長尺部材であり、ドア枠の下枠４は、仕上げ床材１０とほぼ同じ高さ位置にあり、仕上げ床材１０と躯体下面１１は離間しており、第１枠体６は、上面６０と、第１見付面６１と、第２見付面６２と、第１見込面６３と、第２見込面６４を備え、下方が開口している箱体であり、上面６０がドア枠の下枠４に固定されており、第２枠体７は、下面７０と、第１見付面７１と、第２見付面７２と、第１見込面７３と、第２見込面７４を備え、上方が開口している箱体であり、下面７０が躯体下面１１に当接しており、第１枠体６と第２枠体７は入れ子状（本実施形態では、第１枠体６の内部空間に第２枠体７が挿入される）に組み合わさることで下部構造を形成しており、下部構造の幅方向両端部は、第１枠体６と第２枠体７の第１見込面６３、７３、第２見込面６４、７４によって閉塞されており、第１枠体６と第２枠体７の第１見付面６１、７１同士は、重なり部を形成しており、第１枠体６と第２枠体７は、重なり部において第２螺子９で固定されており、第２枠体７の下面７０と躯体下面１１は固定されることなく当接している。
【００４８】
上述のように、かかる下部構造の設置構造は簡単な手順で設置することができる。下部構造は、下枠４と躯体下面１１との間の空間を塞ぐように設置され、下部構造によって、下枠４と躯体下面１１との間の空間をドア枠の幅方向に亘って閉塞して防火区画を形成し、また、下枠４を幅方向全体に亘って下方から支持して下枠４の撓みを防止する。
【００４９】
本実施形態では、第１螺子８を取り外した後で第２枠体７の第１見付面７１の螺子孔７１０は特に塞がれていないが、第１見付面７１の挿通孔７１０に対向して第２見付面７２が位置するため、第１空間Ａと第２空間Ｂを直接貫通する孔が形成されないようになっている。さらに、下部構造の幅方向の両端部は、第１枠体６と第２枠体７の第１見込面６３、７３、第２見込面６４、７４によって閉塞されており、防火性能が向上されている。
【００５０】
図１から図９に示した下部構造は例示であって、本発明に係る下部構造を限定するものではなく、他の態様が採り得る。図１０（Ａ）〜（Ｄ）を参照しつつ、下部構造の他の態様例について説明する。図１０では、各下部構造の仮固定状態を示している。既述の実施形態における要素と共通する要素については同一の参照番号が付されており、同一の参照番号が付された要素の説明については、既述の説明を援用することができる。
【００５１】
図１０（Ａ）に係る態様では、下側の第２枠体７の内部空間に上側の第１枠体６が挿入されるようになっている。すなわち、既述の実施形態では、第１枠体６が第２枠体７よりも大きい寸法を備えていたが、第１枠体６よりも第２枠体７の寸法が大きくてもよい。
第１枠体６の第１見付面６１の外側には第２枠体７の第１見付面７１が重なっている。
【００５２】
第１枠体６の第１見付面６１の下方部位には、長さ方向に間隔を設けて複数の螺子孔（図１０（Ａ）では第１螺子８によって塞がれている）が形成されており、第２枠体７の第１見付面７１の下方部位には、長さ方向に間隔を設けて複数の挿通孔（図１０（Ａ）では第１螺子８によって塞がれている）が形成されている。仮固定位置において、第１見付面６１の螺子孔と第１見付面７１の挿通孔が一致しており、挿通孔に差し入れた第１螺子８が螺子孔に螺合することで、第１枠体６と第２枠体７が仮固定されている。
【００５３】
図１０（Ａ）の状態から、第１螺子８を取り外すことで、第２枠体７の自重降下規制が解除され、第２枠体７が自重降下する。図１０（Ａ）では図示していないが、自重降下した第２枠体７が躯体下面に当接した状態で、第１枠体６の第１見付面６１と第２枠体７の第１見付面７１は重なり部を備えており、重なり部において挿通孔が位置しており、ドリルねじである第２螺子９を挿通孔から螺入させることで、第１枠体６と第２枠体７を固定する。
【００５４】
図１０（Ｂ）に係る態様では、第１枠体６の第１見付面６１は凹部６１１を備えている。既述の実施形態では、第１枠体６の第１見付面６１は上面６０から垂下する垂直面であるが、図１０（Ｂ）に係る態様では、第１見付面６１の高さ方向中央部位が凹部となっており、凹部６１１の垂直状の底面６１２が第２枠体７の第１見付面７１と重なり部を形成している。凹部６１１の底面６１２に挿通孔（図１０（Ｂ）では第１螺子８によって塞がれている）が形成されており、仮固定状態では、第２枠体７の第１見付面７１には上記挿通孔に一致するように螺子孔（図１０（Ｂ）では第１螺子８によって塞がれている）が形成されている。
【００５５】
図１０（Ｂ）の状態から、第１螺子８を取り外すことで、第２枠体７の自重降下規制が解除され、第２枠体７が自重降下する。図１０（Ｂ）では図示していないが、自重降下した第２枠体７が躯体下面に当接した状態で、第１枠体６の第１見付面６１の凹部６１１の底面６１２と第２枠体７の第１見付面７１は重なり部を備えており、重なり部において挿通孔が位置しており、ドリルねじである第２螺子９を挿通孔から螺入させることで、第１枠体６と第２枠体７を固定する。
【００５６】
図１０（Ｃ）に係る態様では、第１枠体６の第２見付面６２の下端には掛止片６２０が形成されており、第２枠体７の第２見付面７２の上端には掛止片７２０が形成されている。仮固定状態では、掛止片６２０と掛止片７２０は高さ方向に離間している。図１０（Ｃ）の状態から、第１螺子８を取り外すことで、第２枠体７の自重降下規制が解除され、第２枠体７が自重降下する。図１０（Ｃ）では図示していないが、自重降下した第２枠体７が躯体下面に当接した状態で、第１枠体６の第１見付面６１と第２枠体７の第１見付面７１は重なり部を備えており、重なり部において挿通孔が位置しており、ドリルねじである第２螺子９を挿通孔から螺入させることで、第１枠体６と第２枠体７を固定する。固定状態において、下方空間の深さ寸法Ｄに応じて、掛止片６２０と掛止片７２０は接近し、あるいは、掛止する。
【００５７】
図１０（Ｄ）に係る態様では、第２枠体７の下面７０は上向き凹部７００が形成されている。図１０（Ｄ）の状態から、第１螺子８を取り外すことで、第２枠体７の自重降下規制が解除され、第２枠体７が自重降下する。図１０（Ｄ）では図示していないが、自重降下した第２枠体７が躯体下面に当接した状態で、第１枠体６の第１見付面６１と第２枠体７の第１見付面７１は重なり部を備えており、重なり部において挿通孔が位置しており、ドリルねじである第２螺子９を挿通孔から螺入させることで、第１枠体６と第２枠体７を固定する。この態様では、第２枠体７の下面７０に凹部７００を形成したことによって、躯体下面に不陸（存在する場合には）を吸収し得る。
【００５８】
上述の全ての実施形態では、第１枠体６、第２枠体７は共に概ね断面視コ字形状を備えているが、第１枠体６を上面と１つの見付面とから断面視Ｌ形状に形成してもよい。第２枠体７を下面と１つの見付面とから断面視Ｌ形状に形成してもよい。第１枠体６、第２枠体７のいずれか一方を断面視コ字形状に形成し、他方を断面視Ｌ形状に形成してもよい。また、第１枠体６及び第２枠体７を断面視Ｌ形状に形成し、第１枠体６と第２枠体７を、見付面同士が重なり部を形成するように組み合わせることで下部構造を形成してもよい。なお、防火性能を担保するためには、必要に応じて、仮固定部材である第１螺子８を取り外した後に残る孔を塞ぐ必要があることが当業者に理解され、例えば、第１螺子８で塞いでもよい。
【００５９】
図示の態様では、下部構造の幅寸法は下枠４の幅寸法と略同じであるが、現場に応じて、下枠４の幅寸法よりも大きくてもよく、あるいは、下枠４の幅寸法よりも短くてもよい。本実施形態では、下部構造の内部空間は中空であるが、内部空間にロックルール等の耐火材を充填してもよい。本実施形態では、第１枠体６及び第２枠体７は板厚1.6mm以上の亜鉛めっき鋼板であるが、所定の強度や耐火性を備えていれば下部構造の材質や板厚は限定されない。
【符号の説明】
【００６０】
１  上枠
２  縦枠（戸先側）
３  縦枠（戸尻側）
４  下枠
５  扉体
６  第１枠体
６０  上面
６１  第１見付面
６１０  挿通孔
６２  第２見付面
６３  第１見込面
６４  第２見込面
７  第２枠体
７０  下面
７１  第１見付面
７１０  螺子孔
７２  第２見付面
７３  第１見込面
７４  第２見込面
８  第１螺子（小ねじ）
９  第２螺子（ドリルねじ）
１０  仕上げ床材
１１  躯体下面
【図１】
2020051112.tif 000003
【図２】
2020051112.tif 000004
【図３】
2020051112.tif 000005
【図４】
2020051112.tif 000006
【図５】
2020051112.tif 000007
【図６】
2020051112.tif 000008
【図７】
2020051112.tif 000009
【図８】
2020051112.tif 000010
【図９】
2020051112.tif 000011
【図１０】
2020051112.tif 000012
【図１１】
2020051112.tif 000013